(57)【要約】【課題】簡易な構造にできると共に、作業者を確実に補助し作業者の疲労を軽減させることができる。【解決手段】作業者１０の腰周りに装着される腰部ベルト２と、作業者１０の胸囲に装着される胸部ベルト３と、上方に上げた状態の作業者１０の上腕１０ａが載置される上腕受台４と、下端部５ａが腰部ベルト２に保持されているとともに、上端部５ｃに上腕受台４が設置されたポール５と、を備える。ポール５は、シリンダ部２１と、シリンダ部２１に挿入されシリンダ部２１と相対変位可能なピストン部２２と、シリンダ部２１とピストン部２２との間に介装され、上腕への衝撃力を抑制可能なサスペンション２３と、を有し、胸部ベルト３から延出されたワイヤ（支持部材）６によりポール５が支持されている。【選択図】図１
2011250846.tif 000002
【特許請求の範囲】
【請求項１】
建設現場において、作業者の少なくとも一方の上腕を上げた状態に支持する作業補助具であって、
前記作業者の腰周りに装着される腰部ベルトと、
前記作業者の胸囲に装着される胸部ベルトと、
上方に上げた状態の前記作業者の上腕が載置される上腕受台と、
下端部が前記腰部ベルトに保持されているとともに、上端部に前記上腕受台が設置されたポールと、を備え、
前記ポールは、
シリンダ部と、
該シリンダ部に挿入され該シリンダ部と相対変位可能なピストン部と、
前記シリンダ部と前記ピストン部との間に介装され、前記上腕への衝撃力を抑制可能なサスペンションと、を有し、
前記胸部ベルトから延出された支持部材により前記ポールが支持されていることを特徴とする作業補助具。
【請求項２】
前記ポールは、該ポールの長さを調節する長さ調節機構を備えていることを特徴とする請求項１に記載の作業補助具。
【発明の詳細な説明】
【技術分野】
【０００１】
本発明は、建設現場における上向き作業の補助具に関する。
【背景技術】
【０００２】
現在、わが国は少子高齢化の傾向にあり、高齢者の介護を目的とした装着型の補助具が必要とされている。また、労働力不足の傾向もあり、労働者のアシストや、労働者の疲労の軽減を目的とした装着型の補助具も必要とされている。
近年、これらの装着型の補助具は種々開発されているが、介護を目的とした補助具がほとんどであり、労働者のアシストや、労働者の疲労の軽減を目的とした装着型の補助具はほとんど開発されていないのが現状である。
【０００３】
労働者のアシストや、労働者の疲労の軽減を目的とした、装着型の補助具としては、例えば、特許文献１に記載された、作業者（労働者）の上腕を長尺状弾性部材の弾性力によって付勢し、上腕を上方に上げた状態に支持する作業補助具などがある。
【先行技術文献】
【特許文献】
【０００４】
【特許文献１】特開２００９−１０６２７０号公報
【発明の概要】
【発明が解決しようとする課題】
【０００５】
このような作業者を補助する装着型の補助具（作業補助具）は、重労働時においても確実に作業者をアシストできると共に作業者の疲労を軽減させる必要がある。
また、作業補助具は、建設現場などの屋外で使用されることも多いため、風雨に対する耐久性が求められているが、従来の作業補助具は、構造が複雑なため、風雨に対する耐久性を高めることが困難である。
また、従来の作業補助具は、構造が複雑なため、製造に労力とコストがかかると共に、作業者が装着しにくいという問題がある。
【０００６】
本発明は、上述する問題点に鑑みてなされたもので、簡易な構造であると共に、作業者を確実に補助し作業者の疲労を軽減させることができる作業補助具を提供することを目的とする。
【課題を解決するための手段】
【０００７】
上記目的を達成するため、本発明に係る作業補助具は、建設現場において、作業者の少なくとも一方の上腕を上げた状態に支持する作業補助具であって、前記作業者の腰周りに装着される腰部ベルトと、前記作業者の胸囲に装着される胸部ベルトと、上方に上げた状態の前記作業者の上腕が載置される上腕受台と、下端部が前記腰部ベルトに保持されているとともに、上端部に前記上腕受台が設置されたポールと、を備え、前記ポールは、シリンダ部と、該シリンダ部に挿入され該シリンダ部と相対変位可能なピストン部と、前記シリンダ部と前記ピストン部との間に介装され、前記上腕への衝撃力を抑制可能なサスペンションと、を有し、前記胸部ベルトから延出された支持部材により前記ポールが支持されていることを特徴とする。
【０００８】
本発明では、ポールおよび上腕受台が作業者の上腕を上げた状態に支持し、ポールは、下端部が腰部ベルトに保持されるとともに胸部ベルトから延出された支持部材により支持されていることにより、ぐらつきが抑制され、安定した状態で確実に作業者の上腕を支持することができる。
また、ポールは、シリンダ部と、シリンダ部に挿入されシリンダ部と相対変位可能なピストン部と、サスペンションと、を有することにより、上腕に上方から力が作用した際に上腕にかかる衝撃をサスペンションが吸収することができる。
これにより、作業者を確実に補助し作業者の疲労を軽減させることができる
更に、作業補助具は、腰部ベルトおよび胸部ベルトに保持されたポールの上端部に上腕受台が設けられた構造であるため、簡易な構造となり、製造や装着が容易となると共に、風雨に対する耐久性を高めることができる。
【０００９】
また、本発明に係る作業補助具では、前記ポールは、該ポールの長さを調節する長さ調節機構を備えていることが好ましい。
このように、ポールは、その長さを調節する長さ調節機構を備えることにより、ポールの長さを作業者の体格や作業時の体勢に合わせて調節できるため、使用者が最適な状態で作業補助具を使用することができる。
【発明の効果】
【００１０】
本発明によれば、作業者を確実に補助し作業者の疲労を軽減させることができることにより、作業者が快適に作業できると共に、簡易な構造であることにより、製造や装着が容易な作業補助具を実現することができる。
【図面の簡単な説明】
【００１１】
【図１】（ａ）は本発明の実施形態による作業補助具の一例を示す正面図、（ｂ）は（ａ）の側面図である。
【図２】（ａ）はポール受具を示す図で（ｂ）のＡ−Ａ線断面図、（ｂ）は（ａ）のＢ−Ｂ線断面図である。
【図３】（ａ）〜（ｃ）は上腕受台の挙動を示す図で図１（ｂ）のＣ−Ｃ線断面図である。
【図４】ポールを説明する図である。
【図５】ピストン部を説明する図である。
【発明を実施するための形態】
【００１２】
以下、本発明の実施形態による作業補助具について、図１乃至図５に基づいて説明する。
図１（ａ）に示すように、本実施形態による作業補助具１は、建設現場において、例えば、天井の施工や解体工事などを行う作業者１０の上腕１０ａを上げた状態に支持できるように構成されている。
図１（ａ）、（ｂ）に示すように、本実施形態による作業補助具１は、作業者１０の腰周りに装着される腰部ベルト２と、作業者１０の胸囲に装着される胸部ベルト３と、作業者１０の上腕１０ａが載置される一対の上腕受台４，４と、下端部５ａが腰部ベルト２に保持され中間部５ｂがワイヤ（支持部材）６を介して胸部ベルト３に支持されていると共に上端部５ｃが上腕受台４と連結された一対のポール５，５とを備えている。
【００１３】
腰部ベルト２は、例えば、ポリエステルやナイロンなどの柔軟な素材で形成されている。
腰部ベルト２には、作業者１０に装着された際に作業者１０の腰の側部に相当する位置に、ポール５の下端部５ａを保持するポール受具１１が固定されている。
図２（ａ）、（ｂ）に示すように、ポール受具１１は、作業補助具１を装着した作業者１０が直立状態となった場合、鉛直方向に延びる有底筒状の部材であり、内部にポール５の下端部５ａが挿入されている。ポール受具１１は、ビスなどで腰部ベルト２に固定されている。
下端部５ａがポール受具１１に挿入されたポール５は、ポール受具１１の中心軸を中心に回転可能となっている。
【００１４】
胸部ベルト３は、腰部ベルト２と同様に、例えば、ポリエステルやナイロンなどの柔軟な素材で形成されている。
胸部ベルト３には、作業者１０に装着された際の作業者１０の側部に相当する位置に、所定長さのワイヤ６の一方の端部６ａが固定されている。図１（ａ）に示すように、このワイヤ１２の他方の端部６ｂには、フック１３が設けられている。このフック１３は、後述するポール５に設けられたリング２７と係止するように構成されている。
なお、腰部ベルト２には、ワイヤ６に代わって、ロープなどが固定されていてもよい。また、ワイヤ１２の端部６ｂには、フック１３に代わってカラビナなどが設けられていてもよい。
また、胸部ベルト３は、作業者１０の両肩にそれぞれ掛けられた一対の肩掛けバンド１５，１５の両端部と連結されている。一対の肩掛けバンド１５，１５は、胸部ベルト３が胸囲からずれるのを防いでいる。
【００１５】
図１（ａ）、（ｂ）に示すように、上腕受台４は、上腕１０ａの下側と当接する当接部１６と、当接部１６と連結しポール５の上端部５ｃに保持される保持部１７と、を備えている。
当接部１６は、略部分円筒状に形成され（図１（ｂ）参照）、凹面１６ａに上腕１０ａが載置される構成とされている。
当接部１６は、凹面１６ａに上腕１０ａが載置されることにより、当接部１６に載置された上腕１０ａが、当接部１６から脱落しにくく、上腕を支持しやすい。なお、この凹面１６ａの曲率は、上腕１０ａが当接部１６から脱落しにくいと共に、作業者１０が当接部１６に上腕１０ａを載せたり下ろしたりしやすい曲率とすることが好ましい。
【００１６】
保持部１７は、当接部１６の下面と連結され、ポール５の上端部５ｃにピン接合されている。これにより、上腕受台４は、ポール５の上端部５ｃにポール５の中心軸を含む一の面内においてピン接合部４ａを中心に回動可能に保持されている。
また、図１および図３に示すように、ポール５の上端部５ｃには、上腕受台４の回転を所定の角度に規制する規制部材１８が設けられている。
【００１７】
規制部材１８は、上腕受台４の回動軌道上に設けられていて、上腕受台４の両方向の回動を規制している。そして、図３（ａ）および（ｃ）に示すように、上腕受台４は、いずれかの方向に回動して規制部材１８と当接することで、その方向の回動が停止される。
このような構成により、上腕受台４は、載せられた上腕１０ａ（図１（ａ）参照）の動きに連動して所定角度範囲で回動可能となる。
また、上腕受台４の回動を規制することで、上腕受台４が必要以上に回動せず上腕受台４へ上腕１０ａを載せやすくすることができる。
【００１８】
図１および図４に示すように、ポール５は、略有底筒状のシリンダ部２１と、一方の端部２２ｃ側がシリンダ部２１に挿入されてシリンダ部２１と相対変位可能な略棒状のピストン部２２と、シリンダ部２１内に挿入されて、ピストン部２２の一方の端部２２ｃが当接するサスペンション２３と、を備えている。
シリンダ部２１は、ピストン部２２の上側に位置している。
【００１９】
サスペンション２３は、例えばバネで構成されており、シリンダ部２１とピストン部２２とに挟まれ、シリンダ部２１とピストン部２２とを離間させる方向に付勢している。
図１（ａ）、（ｂ）に示すように、シリンダ部２１の上端部２１ｃは、ポール５の上端部５ｃに相当し、上端部２１ａに上腕受台４が取り付けられている。
また、ピストン部２２の下端部２２ａは、ポール５の下端部５ａに相当し、下端部２２ａは、ポール受具１１に挿入されている。
【００２０】
図１および図５に示すように、ピストン部２２は、第１棒部材２４と、第２棒部材２５と、第１棒部材２４および第２棒部材２５を連結すると共に、第１棒部材２４および第２棒部材２５の離間距離を調節可能なカプラ（長さ調節機構）２６とを備えている。
作業者１０に作業補助具１がされた状態で、第１棒部材２４は、第２棒部材２５の下方に位置している。そして、第１棒部材２４の下端部２４ａがポール５の下端部５ａに相当し、下端部２４ａは、ポール受具１１に挿入されている。
【００２１】
また、第２棒部材２５は、ポール５の中間部５ｂに位置し、第２棒部材２５には、ワイヤ６のフック１３と係止するリング２７が取り付けられている。なお、本実施形態では、第２棒部材２５に１つのリング２７が設けられているが、第２棒部材２５の延在方向に複数のリング２７を配列し、作業者１０の体型や好みに合わせて複数のリング２７のうち任意のリング２７にフック１３をかける構成としてもよい。
また、第２棒部材２５の上端部２５ｃは、ピストン部２２の上端部２２ｃに相当し、サスペンション２３と当接している。
【００２２】
図５に示すように、第１棒部材２４の上端部２４ｃ側および第２棒部材２５の下端部２５ａ側には、外周面にねじ山２８が形成されている。
カプラ２６は、略円筒状に形成されていて、内周面２６ａに第１棒部材２４および第２棒部材２５のねじ山と螺合する雌ネジ２９が形成されている。カプラ２６は、一方の端部から第１棒部材２４が挿入され、他方の端部から第２棒部材２５が挿入され、第１棒部材２４および第２棒部材２５を連結している。
また、カプラ２６に挿入された第１棒部材２４および第２棒部材２５は、カプラ２６への挿入長さを調節することで、ポール５の全長を調節することができる。
【００２３】
図１（ａ）に示すように、第１棒部材２４は、延在方向の略中間部で屈曲していて、上端部２４ｃ側と下端部２４ａ側とが、鈍角をなすように形成されている。また、屈曲点２４ｂの下端部２４ａ側のほうが屈曲点２４ｂの上端部２４ｃ側よりも短く形成されている。
【００２４】
そして、第１棒部材２４が延在方向の略中間部で屈曲していることにより、作業補助具１が作業者１０に装着されると、屈曲点２４ｂの上端部側が、作業者１０に対して斜め方向に延在する構成となる。これにより、ポール５の上端部５ｃに設けられた上腕受台４は、上腕１０ａの肘側を支持することができる。
【００２５】
次に、上述した作業補助具１の使用方法について説明する。
まず、図１（ａ）に示すように、作業補助具１を装着する。
まず、腰部ベルト２および胸部ベルト３を装着する。また、腰部ベルト２および胸部ベルト３の装着と前後して、第１棒部材２４および第２棒部材２５のカプラ２６への挿入長さを調節して、ポール５の長さを調節する。
続いて、腰部ベルト２のポール受具１１にポール５の下端部５ａを挿入し、胸部ベルト３に取り付けられたワイヤ６のフック１３をポール５に設けられたリング２７に引っ掛けて、フック１３およびリング２７を係止させる。
続いて、上腕受台４の上部に上腕１０ａを載せ、作業補助具１の装着が完了する。
このとき、上腕受台４の回転が所定の角度範囲内に規制されているため、上腕受台４が必要以上に回転せず、作業者１０は、上腕受台４へ上腕１０ａを載せやすい。
【００２６】
そして、作業者１０は、上げた上腕１０ａを作業補助具１に支持された状態で作業を行う。
このとき、作業者１０は、上げた上腕１０ａが支持されるため、上腕１０ａを上げて長時間作業を行った場合にも、上腕１０ａの疲労が軽減される。
また、ポール５にサスペンション２３が設けられていることにより、上腕１０ａへ上方から力が作用した時や、装着時の衝撃をサスペンション２３が吸収するため、上腕１０ａに加わる衝撃を軽減させることができる。
【００２７】
次に、上述した作業補助具１の効果について説明する。
本実施形態による作業補助具１によれば、上腕１０ａが確実に支持され、上腕１０ａの疲労が軽減されると共に、上腕１０ａに加わる衝撃を軽減させることができるため、作業者１０が快適に作業できる効果を奏する。
また、本実施形態による作業補助具１は、簡便な構成であるため、複雑な構成の従来の作業補助具と比べて、例えば風雨などに対する耐久性を高めることができる。また、作業補助具１が簡便な構成であることにより、容易に装着できると共に、製造が容易で製造コストを抑えることができる。
【００２８】
以上、本発明による補助作業具の実施形態について説明したが、本発明は上記の実施形態に限定されるものではなく、その趣旨を逸脱しない範囲で適宜変更可能である。
例えば、上述した実施形態では、作業者１０の両方の上腕１０ａを支持しているが、いずれか一方のみを支持してもよい。
また、例えば、上述した実施形態では、ピストン部２２は、第１棒部材２４と第２棒部材２５とがカプラ２６を介して接続されているが、カプラ２６を設けずに、第１棒部材２４と第２棒部材２５とを直接接続してもよい。このとき、例えば、第１棒部材２４および第２棒部材２５の、いずれか一方の先端部の外周面にねじ山を形成し、他方の先端部に雌ネジを設けて、ねじ山と雌ネジとの螺合する長さを調節して、ピストン部２２の長さを調節できる構成としてもよい。
また、例えば、上述した実施形態では、ピストン部２２は、長さ調節機構を備えているが、長さ調節機構を備えない構成としてもよい。
【符号の説明】
【００２９】
１  作業補助具
２  腰部ベルト
３  胸部ベルト
４  上腕受台
５  ポール
６  ワイヤ（支持部材）
１０  作業者
２１  シリンダ部
２２  ピストン部
２３  サスペンション
２６  カプラ（長さ調節機構）
【図１】
2011250846.tif 000003
【図２】
2011250846.tif 000004
【図３】
2011250846.tif 000005
【図４】
2011250846.tif 000006
【図５】
2011250846.tif 000007